(57)【要約】【課題】  測定したい一方の点が仮想点であっても、２点間の距離の測定を簡易にししかも正確に行なえるようにし、測定精度の向上を図る。【解決手段】  口腔内にある顎堤の前後方向であって、顎堤の前側に位置する第１測定点と、顎堤の後方に位置する仮想の第２測定点との２点間距離を測定するもので、顎堤の前後方向に亘って配置される所定長さの本体１１と、本体１１の長手方向一端側に突設され第１測定点の粘膜翻転部に係止される棒状の第１係止部１２と、本体１１の長手方向他端側に突設され顎堤の後方左右に位置する一対の所定部位に係止されて該所定部位間に掛け渡されるとともに第２測定点を通る板状の第２係止部１３とを備えて構成し、第１係止部１２及び第２係止部１３の間隔をスライド機構１４により可変にした。【選択図】  図１
2008220605.tif 000002
【特許請求の範囲】
【請求項１】
口腔内にある顎堤の前後方向であって、該顎堤の前方に位置する第１測定点と、上記顎堤の後方に位置する仮想の第２測定点との２点間距離を測定する歯科用測定具であって、
上記第１測定点に係止される第１係止部と、上記第２測定点を通り該第２測定点に関連する口腔内の部分に係止される第２係止部とを備えて構成し、上記第１係止部及び第２係止部の間隔を可変にしたことを特徴とする歯科用測定具。
【請求項２】
上記第２係止部を、顎堤の後方左右に位置する一対の所定部位に係止されて該所定部位間に掛け渡されるとともに上記第２測定点を通る板状若しくは棒状に形成したことを特徴とする請求項１記載の歯科用測定具。
【請求項３】
口腔内にある顎堤の前後方向の顎堤中心線を通る粘膜翻転部に対応する第１測定点と、上記顎堤中心線に直交し該顎堤の後方左右に位置する一対の所定部位間を通る直交線の当該顎堤中心線上の第２測定点との間の距離を設定する歯科用測定具であって、
上記顎堤の前後方向に亘って配置される所定長さの本体と、該本体の長手方向一端側に突設され上記第１測定点の粘膜翻転部に係止される棒状の第１係止部と、上記本体の長手方向他端側に突設され上記顎堤の後方左右に位置する一対の所定部位に係止されて該所定部位間に掛け渡されるとともに上記第２測定点を通る板状若しくは棒状の第２係止部とを備えて構成し、上記第１係止部及び第２係止部の間隔を可変にしたことを特徴とする歯科用測定具。
【請求項４】
上記第１係止部を上記本体の長手方向に沿って移動可能に支持するスライド機構を備えて構成したことを特徴とする請求項３記載の歯科用測定具。
【請求項５】
上記スライド機構を、上記本体の長手方向に沿って設けられる長孔と、上記第１係止部に延設され上記長孔を貫通するとともに該長孔を摺動するスライダと、該スライダを上記長孔に対して抜け止めするストッパとを備えて構成したことを特徴とする請求項４記載の歯科用測定具。
【請求項６】
上記本体に、上記第１係止部及び第２係止部の間隔を表示する目盛を設けたことを特徴とする請求項３乃至５何れかに記載の歯科用測定具。
【請求項７】
上記第１係止部を上記本体の長手方向に沿って移動可能に支持するスライド機構を備え、該スライド機構を、上記本体の長手方向に沿って設けられる長孔と、上記第１係止部に延設され上記長孔を貫通するとともに該長孔を摺動するスライダと、該スライダを上記長孔に対して抜け止めするストッパとを備えて構成し、
上記本体に、上記第１係止部及び第２係止部の間隔を表示する目盛を設け、上記スライダ側に上記目盛を指し示す指示部を設けたことを特徴とする請求項３記載の歯科用測定具。
【発明の詳細な説明】
【技術分野】
【０００１】
本発明は、歯科治療において義歯などを作成する際に、口腔内の所要の２点間の距離を測定するための歯科用測定具に関する。
【背景技術】
【０００２】
従来、この種の歯科用測定具としては、例えば、特開平８−２２４２６０号公報（特許文献１）に掲載されたものが知られている。
これは、図６に示すように、所謂製図のデバイダ型に形成されており、一端が互いに回動可能に連結された一対のアーム１，２と、各アーム１，２の先端に設けられ口腔内の部位に係止される先端が尖った係止部３とを備えて構成されているとともに、一方のアーム１を伸縮可能にしている。そして、口腔内に係止部３を入れ、アーム１，２を適宜回動させ、あるいは、伸縮させることにより、各係止部３を口腔内の部位に係止し、アーム１，２に設けた目盛４，５により、係止部３間の距離を測定するようにしている。
【０００３】
【特許文献１】特開平８−２２４２６０号公報
【発明の開示】
【発明が解決しようとする課題】
【０００４】
ところで、このような従来の歯科用測定具においては、係止部３を口腔内の部位に係止して、直接、２点間の距離を測定するので、例えば、測定したい距離が、口腔内にある顎堤の前側の実際に存在する部位と、顎堤の後方であって顎堤の左右に位置する一対の所定部位間にある仮想点との間の距離を測定したいような場合には、仮想点を明瞭に把握できないので、係止部３をこの仮想点に対応する部位に正確に位置させることができないことから、正確に測定できないという問題があった。
【０００５】
本発明は上記の問題点に鑑みて為されたもので、測定したい一方の点が仮想点であっても、２点間の距離の測定を簡易にししかも正確に行なえるようにし、測定精度の向上を図った歯科用測定具を提供することを目的とする。
【課題を解決するための手段】
【０００６】
このような課題を解決するための本発明の歯科用測定具は、口腔内にある顎堤の前後方向であって、該顎堤の前方に位置する第１測定点と、上記顎堤の後方に位置する仮想の第２測定点との２点間距離を測定する歯科用測定具であって、上記第１測定点に係止される第１係止部と、上記第２測定点を通り該第２測定点に関連する口腔内の部分に係止される第２係止部とを備えて構成し、上記第１係止部及び第２係止部の間隔を可変にした構成としている。
【０００７】
この歯科用測定具によって２点間距離を測定するときは、測定具を口腔内に入れ、測定具の第２係止部を第２測定点を通りこの第２測定点に関連する口腔内の部分に係止するとともに、第１係止部及び第２係止部の間隔を調整しながら、第１係止部を第１測定点に係止する。これにより、第１係止部及び第２係止部の間隔の寸法が決まるので、第１測定点と第２測定点との間の距離が分かる。この場合、第２測定点は仮想点であるが、第２係止部は、第２測定点を通って係止されるので、第２測定点に位置決めされることになり、そのため、２点間の距離の測定が簡易にしかも正確に行なえるようになり、測定精度の向上が図られる。
【０００８】
そして、必要に応じ、上記第２係止部を、顎堤の後方左右に位置する一対の所定部位に係止されて該所定部位間に掛け渡されるとともに上記第２測定点を通る板状若しくは棒状に形成している。第２係止部が板状若しくは棒状に形成されているので、係止しやすく、また、仮想点である第２測定点を通過させ易くすることができる。
【０００９】
具体的には、口腔内にある顎堤の前後方向の顎堤中心線を通る粘膜翻転部に対応する第１測定点と、上記顎堤中心線に直交し該顎堤の後方左右に位置する一対の所定部位間を通る直交線の当該顎堤中心線上の第２測定点との間の距離を設定する歯科用測定具であって、上記顎堤の前後方向に亘って配置される所定長さの本体と、該本体の長手方向一端側に突設され上記第１測定点の粘膜翻転部に係止される棒状の第１係止部と、上記本体の長手方向他端側に突設され上記顎堤の後方左右に位置する一対の所定部位に係止されて該所定部位間に掛け渡されるとともに上記第２測定点を通る板状若しくは棒状の第２係止部とを備えて構成し、上記第１係止部及び第２係止部の間隔を可変にした構成としている。
【００１０】
そして、必要に応じ、上記第１係止部を上記本体の長手方向に沿って移動可能に支持するスライド機構を備えて構成している。スライドにより間隔を可変にできるので、操作が容易に行なわれる。
この場合、上記スライド機構を、上記本体の長手方向に沿って設けられる長孔と、上記第１係止部に延設され上記長孔を貫通するとともに該長孔を摺動するスライダと、該スライダを上記長孔に対して抜け止めするストッパとを備えて構成したことが有効である。簡易な機構でスライド機構を構成することができる。
【００１１】
また、必要に応じ、上記本体に、上記第１係止部及び第２係止部の間隔を表示する目盛を設けた構成としている。
より具体的には、上記第１係止部を上記本体の長手方向に沿って移動可能に支持するスライド機構を備え、該スライド機構を、上記本体の長手方向に沿って設けられる長孔と、上記第１係止部に延設され上記長孔を貫通するとともに該長孔を摺動するスライダと、該スライダを上記長孔に対して抜け止めするストッパとを備えて構成し、上記本体に、上記第１係止部及び第２係止部の間隔を表示する目盛を設け、上記スライダ側に上記目盛を指し示す指示部を設けた構成としている。寸法を本測定具において直接視認して読み取ることができるので、測定が容易になる。
【発明の効果】
【００１２】
本発明によれば、第２係止部を第２測定点を通りこの第２測定点に関連する口腔内の部分に係止するとともに、第１係止部及び第２係止部の間隔を調整しながら、第１係止部を第１測定点に係止すれば、第１係止部及び第２係止部の間隔の寸法が決まるので、第１測定点と第２測定点との間の距離を測定することができる。この測定においては、第２測定点は仮想点であるが、第２係止部は、第２測定点を通って係止されるので、第２測定点に位置決めされることになり、そのため、２点間の距離の測定が簡易になり、しかも正確に行なえるようになり、測定精度の向上を図ることができる。
【発明を実施するための最良の形態】
【００１３】
以下、添付図面に基づいて、本発明の実施の形態に係る歯科用測定具について詳細に説明する。
一般に、歯科治療において義歯などを作成する際、患者の口腔内の無歯顎堤あるいは有歯顎堤の形を転写するための印象材を保持する歯科用印象トレーを使用するが、本発明の実施の形態に係る歯科用測定具は、この歯科用印象トレーを製造する際や、患者の顎堤に良くあった歯科用印象トレーを選択する際などにおいて、患者の口腔内の測定を行なうものである。
【００１４】
図１に示す本発明の実施の形態に係る歯科用測定具１０が測定する口腔内においては、図２及び図３に示すように、上顎顎堤ＧＡと、下顎顎堤ＧＢがあり、これらの周囲には、粘膜翻転部Ｈが形成されている。上顎顎堤ＧＡにおいては、その外側に粘膜翻転部Ｈが形成されている。また、下顎顎堤ＧＢにおいては、その外側に粘膜翻転部Ｈ（ａ）が形成されるとともに、内側にも粘膜翻転部Ｈ（ｂ）が形成されている。ここで、粘膜翻転部Ｈとは、顎堤とその周囲組織（頬・口腔底・舌）粘膜との移行部のことを云い周囲組織から陥没した溝状を成している。そのため、粘膜翻転部Ｈは、線として部位を特定することができる。ただし、上顎の内側から後方にかけては、顎堤から咽頭まで溝を形成することなく移行しているため、この部分の粘膜翻転部Ｈは特定できない。
【００１５】
また、上顎顎堤ＧＡの後方左右には、ハミュラーノッチＮといわれる部位が特定できる。上顎結節の遠心端と側頭骨の翼状突起内側板のあいだには骨の連結部があり、これに相当する粘膜面はくぼんでいる。この部分をハミュラーノッチＮという。
また、下顎顎堤ＧＢの中心線ＰＢ上には、顎堤の内側に舌小帯Ｒがある。下顎の後側部には臼後三角Ｓがある。
【００１６】
図１，図４及び図５に示すように、本発明の実施の形態に係る歯科用測定具１０は、口腔内にある顎堤ＧＡ，ＧＢの前後方向であって、顎堤ＧＡ，ＧＢの前側に位置する第１測定点ＹＡ１，ＹＢ１と、顎堤ＧＡ，ＧＢの後方に位置する仮想の第２測定点ＹＡ２，ＹＢ２との２点間距離を測定するものである。
詳しくは、本発明の実施の形態に係る歯科用測定具は、図２及び図４に示すように、上顎において、上顎顎堤ＧＡの前後方向の顎堤中心線ＰＡを通り上顎顎堤ＧＡの外側に位置する粘膜翻転部Ｈに対応する第１測定点ＹＡ１と、顎堤中心線ＰＡに直交し上顎顎堤ＧＡの後方左右に位置するハミュラーノッチＮ間を通る直交線Ｃ４の当該顎堤中心線ＰＡ上の第２測定点ＹＡ２との間の縦寸法ＹＡを測定する。
一方、下顎においては、図３及び図５に示すように、下顎顎堤ＧＢの前後方向の顎堤中心線ＰＢを通り下顎顎堤ＧＢの内側に位置する粘膜翻転部Ｈに対応する第１測定点ＹＢ１と、顎堤中心線ＰＢに直交し下顎顎堤ＧＢの後方左右に位置する臼後三角Ｓの後縁Ｓａ間を通る直交線Ｃ５の当該顎堤中心線ＰＢ上の第２測定点ＹＢ２との間の縦寸法ＹＢを測定する。
【００１７】
測定具１０は、図１，図４及び図５に示すように、顎堤ＧＡ，ＧＢの前後方向に亘って配置される所定長さの矩形板状の合成樹脂製や金属製の本体１１と、本体１１の長手方向一端側に突設され第１測定点ＹＡ１，ＹＢ１の粘膜翻転部Ｈ（上顎においては顎堤の外側の粘膜翻転部Ｈ，下顎においては顎堤の内側の粘膜翻転部Ｈ）に係止される棒状の第１係止部１２と、本体１１の長手方向他端側に突設され顎堤ＧＡ，ＧＢの後方左右に位置する一対の所定部位（上顎においてはハミュラーノッチＮ，下顎においては臼後三角Ｓの後縁Ｓａ）に係止されてこの所定部位間（上顎においてはハミュラーノッチＮ間，下顎においては臼後三角Ｓの後縁Ｓａ間）に掛け渡されるとともに、第２測定点ＹＡ２，ＹＢ２を通る板状若しくは棒状の第２係止部１３とを備えて構成されている。
【００１８】
詳しくは、第１係止部１２は、先端先細りの円錐状あるいは舌片状に形成され、合成樹脂や金属で形成されている。第１係止部１２の先端は、口腔内を傷つけないように、半球状に面取り形成されることが望ましい。
第２係止部１３は、板状に形成されており、合成樹脂や金属で形成されている。第２係止部１３のエッジ及び両端は、口腔内を傷つけないように、角部を面取り形成されることが望ましい。本体１１と第２係止部１３との間には、三角板状の補強板１１ａが設けられている。
【００１９】
また、測定具１０は、図１に示すように、第１係止部１２を本体の長手方向に沿って移動可能に支持するスライド機構１４を備えて構成されており、第１係止部１２及び第２係止部１３の間隔は可変になっている。スライド機構１４は、本体１１の長手方向に沿って設けられる長孔１５と、第１係止部１２に延設され長孔１５を貫通するとともに長孔１５を摺動するスライダ１６と、スライダ１６の上下に設けられ長孔１５の幅よりも大径に形成されて長孔１５の開口縁を摺接し、スライダ１６を長孔１５に対して抜け止めするストッパ１７とを備えて構成されている。長孔１５は、本体１１の端部から長孔１５を構成する溝を形成し、この端部に樹脂製などのキャップ１１ｂを嵌め込むことにより、形成されている。本体１１には、第１係止部１２及び第２係止部１３の間隔を表示する目盛１８が設けられている。スライダ１６側で上のストッパ１７の中央には、目盛１８を指し示す指示部１９が設けられている。１７ａはストッパ１７に突設された操作用ノブである。
【００２０】
従って、この測定具１０によって、上記の縦寸法ＹＡ，ＹＢを測定するときは、図２及び図４に示すように、上顎においては、測定具１０を口腔内に入れ、測定具１０の第２係止部１３を、ハミュラーノッチＮ間に掛け渡すとともに、操作用ノブ１７ａを操作してスライダ１６を適宜スライドさせながら第１係止部１２を顎堤の外側の粘膜翻転部Ｈである第１測定点ＹＡ１に係合する。これにより、指示部１９の目盛１８を読み取ると、第１係止部１２及び第２係止部１３の間隔の寸法が読み取られ、この寸法は、第１測定点ＹＡ１と第２測定点ＹＡ２との間の距離であることから、上顎の縦寸法ＹＡが分かる。
【００２１】
一方、図３及び図５に示すように、下顎においては、測定具１０を口腔内に入れ、測定具１０の第２係止部１３を、臼後三角Ｓの後縁Ｓａに当接させて臼後三角Ｓの後縁Ｓａ間に掛け渡すとともに、操作用ノブ１７ａを操作してスライダ１６を適宜スライドさせながら第１係止部１２を顎堤の内側の粘膜翻転部Ｈである第１測定点ＹＢ１に係合する。これにより、指示部１９の目盛１８を読み取ると、第１係止部１２及び第２係止部１３の間隔の寸法が読み取られ、この寸法は、第１測定点ＹＢ１と第２測定点ＹＢ２との間の距離であることから、下顎の縦寸法ＹＢが分かる。
【００２２】
この場合、第２測定点ＹＡ２，ＹＢ２は仮想点であるが、第２係止部１３は、第２測定点ＹＡ２，ＹＢ２を通って係止されるので、第２測定点ＹＡ２，ＹＢ２に位置決めされることになり、そのため、２点間の距離ができるだけ正確に測定され、測定精度の向上が図られる。また、第２係止部１３は、板状に形成されているので、係止しやすく、また、仮想点である第２測定点ＹＡ２，ＹＢ２を通過させ易くすることができる。更に、第１係止部１２をスライド機構１４により本体１１の長手方向に沿って移動させて間隔を可変にできるので、操作が容易に行なわれる。
【００２３】
尚、上記実施の形態において、第２係止部１３は、板状に形成されているが、必ずしもこれに限定されるものではなく、金属線や金属ロッドなどの棒状に形成してもよく適宜変更して差支えない。また、上記実施の形態では、第２係止部１３は、上顎においてはハミュラーノッチＮ間，下顎においては臼後三角Ｓの後縁Ｓａ間に掛け渡すようにしているが、測定距離によって、どのような部位に掛け渡すようにしてもよく、適宜変更して差支えない。
【図面の簡単な説明】
【００２４】
【図１】本発明の実施の形態に係る歯科用測定具を示す図であり、（ａ）は正面図、（ｂ）は側面図である。
【図２】本発明の実施の形態に係る歯科用測定具が測定する上顎の測定部位を示す平面図である。
【図３】本発明の実施の形態に係る歯科用測定具が測定する下顎の測定部位を示す平面面である。
【図４】本発明の実施の形態に係る歯科用測定具において、上顎の測定部位を測定している状態を示す縦断面図である。
【図５】本発明の実施の形態に係る歯科用測定具において、下顎の測定部位を測定している状態を示す縦断面図である。
【図６】従来の歯科用測定具の一例を示す斜視図である。
【符号の説明】
【００２５】
ＧＡ  上顎顎堤
ＧＢ  下顎顎堤
Ｈ  粘膜翻転部
Ｎ  ハミュラーノッチ
Ｒ  舌小帯
Ｓ  臼後三角
Ｓａ  後縁
ＰＡ，ＰＢ  顎堤中心線
ＹＡ１，ＹＢ１  第１測定点
Ｃ４  直交線
Ｃ５  直交線
ＹＡ２，ＹＢ２  第２測定点
ＹＡ，ＹＢ  縦寸法
１０  歯科用測定具
１１  本体
１１ａ  補強板
１１ｂ  キャップ
１２  第１係止部
１３  第２係止部
１４  スライド機構
１５  長孔
１６  スライダ
１７  ストッパ
１７ａ  操作用ノブ
１８  目盛
１９  指示部
【図１】
2008220605.tif 000003
【図２】
2008220605.tif 000004
【図３】
2008220605.tif 000005
【図４】
2008220605.tif 000006
【図５】
2008220605.tif 000007
【図６】
2008220605.tif 000008